(57)【要約】【課題】複数医療機関で共通して使用可能であって、医療費の支払が可能で、セキュリティを兼ね備えつつカルテ情報へアクセスすることも可能とする医療用情報カードを提供する。【解決手段】入出力手段を備えたカルテアクセス用磁気読取端末とネットワークを介して接続されており複数の識別記号と前記識別記号毎に関連付けられた１又は複数のカルテ情報とを有する医療情報データベースに格納されている前記識別記号のうちカードごとに異なる固有の識別記号の情報を磁気情報として搭載する。【選択図】図３
2015032074.tif 000002
【特許請求の範囲】
【請求項１】
入出力手段を備えたカルテアクセス用磁気読取端末とネットワークを介して接続されている医療情報データベースであって複数の識別記号と前記識別記号毎に関連付けられた１又は複数のカルテ情報とを有する医療情報データベースに格納されている前記識別記号のうちカードごとに異なる固有の識別記号の情報を磁気情報として搭載し、
前記磁気情報が、前記カルテアクセス用磁気読取端末で読み取らせることにより前記医療情報データベースにおいて前記固有の識別記号に関連付けられたカルテ情報の出力を可能とする磁気情報であり、
かつ、前記磁気情報が、入出力手段を備えた決済用磁気読取端末で読み取らせることにより、前記決済用磁気読取端末とネットワークを介して接続され前記識別記号と前記識別記号に関連付けられた決済口座の情報とを有する医療費決済情報データベースにおいて前記固有の識別記号に関連付けられた決済口座での支払金額の入力を受け付け可能とする磁気情報であることを特徴とする医療用情報カード。
【請求項２】
前記識別記号が１６ケタの番号からなり、前記カルテ情報が複数の医療機関における診療データを含むことを特徴とする請求項１記載の医療用情報カード。
【請求項３】
さらに、カードに記載された前記識別記号に関連付けられたカルテ情報が前記医療情報データベースにあるか否かを識別可能なＲＦＩＤチップを含むシールを有することを特徴とする、請求項１又は請求項２記載の医療用情報カード。
【請求項４】
さらに、前記識別記号と使用方法の案内ページへ誘導する二次元コードとをカードの表面又は裏面に表示してあることを特徴とする請求項１から請求項３のいずれかに記載の医療用情報カード。
【請求項５】
複数の識別記号と前記識別記号毎に関連付けられた１又は複数のカルテ情報とを有する医療情報データベースと、
前記医療情報データベースに格納されている識別番号のうちカードごとに異なる固有の識別番号の磁気情報を有する医療用情報カードと、
前記医療情報データベースに格納されている識別記号と前記識別記号に関連付けられた決済口座の情報とを有し医療費専用決済システムと接続された医療費決済情報データベースと、
前記医療情報データベースにネットワークを介して接続する手段と前記医療用情報カードの前記磁気情報を読み取る手段と前記医療情報データベースが有する前記固有の識別記号に関連付けられたカルテ情報の出力手段と前記カルテ情報への入力手段とを有するカルテアクセス用磁気読取端末と、
前記医療費決済情報データベースにネットワークを介して接続する手段と前記医療用情報カードの前記磁気情報を読み取る手段と前記医療費決済情報データベースが有する前記固有の識別記号に関連付けられた決済口座に対する支払金額の入力手段と支払額の出力手段とを有する決済用磁気読取端末と、
を有することを特徴とする医療用情報カード利用システム。
【請求項６】
前記医療費専用決済システムが、前記医療費決済情報データベースにネットワークを介して接続され、前記決済用磁気読取端末から決済する支払金額の入力を受付する手段と、前記支払金額を前記決済用磁気読取端末に表示する手段と、前記決済用磁気読取端末から決済実行を受付する手段とを有することを特徴とする請求項５記載の医療用情報カード利用システム。
【発明の詳細な説明】
【技術分野】
【０００１】
本発明は、医療機関で使用するための医療用情報カード及び医療用情報カード利用システムに関する。
【背景技術】
【０００２】
病院では、一般に、来院した患者に診察券を発行して、２回目以降の来院の際には患者から診察券を提示してもらい、その診察券に記載された情報を手掛かりに以前来院した際のカルテ等の情報を抽出して診察に利用している。しかし、病院ごとに診察券が違うため、複数の病院に通院する患者にとって管理が煩わしいという問題があった。また、電子カルテ化が進んでいるものの、病院ごとにカルテ情報を作成しているため、他院で処方された薬等の情報については患者自身が説明することになるが、患者側は個々の情報の軽重を十分理解できないため、重要な情報が抜けてしまい、医者が適切な治療をできない恐れが生じるという問題があった。また、カルテ情報は患者の情報であるのに、患者が受診した全ての病院のカルテ情報を知るには、各病院に行って聞かなければならないという問題があった。従来の診察券を携帯していても、出先で倒れたときに、救急隊員が診察券から患者に応じた応急処置に必要な情報を瞬時に知ることができないため、適切な処置ができないし適切な病院に搬送できない恐れがあるという問題があった。
【０００３】
かかる問題に対しては、複数の医療機関で使える診察券としてＲＦＩＤチップを埋め込んだ診察券や、個人の医療情報を電子化して格納しＰＣで入手出力可能なＵＳＢメモリを内蔵したソフトウェアカードが知られている（特許文献１、非特許文献１参照）。
【先行技術文献】
【特許文献】
【０００４】
【特許文献１】特開２００５−２５９０３３号公報
【非特許文献】
【０００５】
【非特許文献１】株式会社ミックインターナショナル  “ＭＩＣカードとは”、［ｏｎｌｉｎｅ］、［平成２５年７月２１日検索］、インターネット＜ＵＲＬ：http://www.mic-card.com/about.html＞
【発明の概要】
【発明が解決しようとする課題】
【０００６】
しかし、上述した特許文献１記載の発明では、ＲＦＩＤチップに病院情報と患者の個人情報を書き込んであるため、ＲＦＩＤリーダがあれば読み取り可能であるので、落とした時に他人に個人情報を知られるおそれがあるという問題があった。上述した非特許文献１記載のカードでは、ＵＳＢメモリを内蔵しているため高額にならざるを得ず、また可動部品を含むため壊れやすいという問題があるし、またカード自体に個人情報が入っているため、落とした時に他人に個人情報を知られるおそれがあるという問題があった。
【０００７】
さらに、従来の診察券では支払いまでは行えず、来院時に現金かクレジットカードを持っていないと診察料や治療費が支払えないという問題があった。特に子供や高齢者が手元に現金もクレジットカードもないときに、気軽に通院できないという問題があった。医療機関側としても多額の治療費の不払いに遭っているところもあり、確実に治療費を回収できないことは、看過できない問題となっている。
【０００８】
本発明は、上述したような課題を解決するためになされたものであり、複数医療機関で共通して使用可能であって、医療費の支払が可能で、セキュリティを兼ね備えつつカルテ情報へアクセスすることも可能とする医療用情報カードを得ることを目的としている。
【課題を解決するための手段】
【０００９】
本願発明者は、上記目的を達成するため、複数医療機関で共通して利用可能な診察券機能及び医療費後払い機能及びカルテへのアクセス機能を１つのカードに集約させた医療用情報カード及び医療用情報カード利用システムを発明した。
【００１０】
本発明の第１の態様は、入出力手段を備えたカルテアクセス用磁気読取端末とネットワークを介して接続されている医療情報データベースであって複数の識別記号と前記識別記号毎に関連付けられた１又は複数のカルテ情報とを有する医療情報データベースに格納されている前記識別記号のうちカードごとに異なる固有の識別記号の情報を磁気情報として搭載し、
前記磁気情報が、前記カルテアクセス用磁気読取端末で読み取らせることにより前記医療情報データベースにおいて前記固有の識別記号に関連付けられたカルテ情報の出力を可能とする磁気情報であり、
かつ、前記磁気情報が、入出力手段を備えた決済用磁気読取端末で読み取らせることにより、前記決済用磁気読取端末とネットワークを介して接続され前記識別記号と前記識別記号に関連付けられた決済口座の情報とを有する医療費決済情報データベースにおいて前記固有の識別記号に関連付けられた決済口座での支払金額の入力を受け付け可能とする磁気情報であることを特徴とする医療用情報カードを提供する。カルテアクセス用磁気読取端末と決済用磁気読取端末とは別々の端末でもよいし１台で両方の端末の機能を兼ね備えた端末でもよい。識別記号は、複数桁の番号とすることが好ましいが、アルファベットと番号の組み合わせなど、他の記号でもよい。
【００１１】
本発明の第１の態様によれば、複数医療機関で共通して使用可能であって、医療費の支払が可能で、セキュリティを兼ね備えつつカルテ情報へアクセスすることも可能とする。また、カード内に多数の情報を入れる必要がないため、安全性が確保でき、かつコストも削減できる。患者が現金等を持っていなくても決済口座から自動的に医療費が支払われるため、医療機関側も不払いの問題を解決できる。
【００１２】
前記識別記号が１６ケタの番号からなり、前記カルテ情報が複数の医療機関における診療データを含むことが好ましい。カルテ情報には、テキストの他、静止画像や動画や音声等が含まれていてもよく、健康診断等各種検査の結果や診療カルテ等の受診履歴、投薬履歴、病歴、患者の身体的あるいは精神的情報を含んでもよい。
【００１３】
また、さらに、カードに記載された前記識別記号に関連付けられたカルテ情報が前記医療情報データベースにあるか否かを識別可能なＲＦＩＤチップを含むシールを有することが好ましい。救急搬送の際に、救急隊員がシールに搭載されたＲＦＩＤ情報の読み取り装置を持っていれば、患者のカルテ情報が医療情報データベースにあるかどうかを知ることができる。医療情報データベースに情報があれば、患者が身元不明人であっても、医療用情報カードを導入している搬送先において適切な処置が受けられるし、医療機関側は料金不払いのリスクを削減できる。したがって行き倒れ人等の削減もつながる。シールには最初に発行した病院名を表示してもよい。
【００１４】
さらに、前記識別記号と使用方法の案内ページへ誘導する二次元コードとをカードの表面又は裏面に表示してあることがより好ましい。救急搬送の際に、救急隊員が金属探知機等で本発明に係る医療用情報カードを発見できれば、搬送先に識別記号を伝えることができ、識別番号を聞いた搬送先は、患者の病歴や投薬状況等を知ったうえで患者を受け入れる準備ができるため、的確な処置を瞬時に行うことができ、結果として助かる人命が増える。
【００１５】
また、本発明の第２の態様は、複数の識別記号と前記識別記号毎に関連付けられた１又は複数のカルテ情報とを有する医療情報データベースと、
前記医療情報データベースに格納されている識別番号のうちカードごとに異なる固有の識別番号の磁気情報を有する医療用情報カードと、
前記医療情報データベースに格納されている識別記号と前記識別記号に関連付けられた決済口座の情報とを有し医療費専用決済システムと接続された医療費決済情報データベースと、
前記医療情報データベースにネットワークを介して接続する手段と前記医療用情報カードの前記磁気情報を読み取る手段と前記医療情報データベースが有する前記固有の識別記号に関連付けられたカルテ情報の出力手段と前記カルテ情報への入力手段とを有するカルテアクセス用磁気読取端末と、
前記医療費決済情報データベースにネットワークを介して接続する手段と前記医療用情報カードの前記磁気情報を読み取る手段と前記医療費決済情報データベースが有する前記固有の識別記号に関連付けられた決済口座に対する支払金額の入力手段と支払額の出力手段とを有する決済用磁気読取端末と、
を有することを特徴とする医療用情報カード利用システムを提供する。
【００１６】
本発明の第２の態様によれば、複数医療機関で共通して使用可能であって、医療費の支払が可能で、セキュリティを兼ね備えつつカルテ情報へアクセスすることも可能とする
【００１７】
前記医療費専用決済システムが、前記医療費決済情報データベースにネットワークを介して接続され、前記決済用磁気読取端末から決済する支払金額の入力を受付する手段と、前記支払金額を前記決済用磁気読取端末に表示する手段と、前記決済用磁気読取端末から決済実行を受付する手段とを有することが好ましい。
【発明の効果】
【００１８】
本発明によれば、複数医療機関で共通して使用可能であって、医療費の支払が可能で、セキュリティを兼ね備えつつカルテ情報へアクセスすることも可能とする。本発明によれば、医療機関側もたとえ初めての患者であっても過去の履歴を見て適切な処置を迅速に行うことができ、料金踏み倒しのリスクも削減できる。患者側も手元に現金やクレジットカードを持っていなくても安心して病院に行けるし、新しい医療機関であってもこれまでの経過を説明する必要がないので、患者に合った治療を受けられる可能性が高まる。
【図面の簡単な説明】
【００１９】
【図１】本発明の実施例１の医療用情報カードの表面側を示す図である。
【図２】本発明の実施例１の医療用情報カードの裏面側を示す図である。
【図３】本発明の実施例１の医療用情報カード利用システムの概要図である。
【図４】本発明の実施例１の医療用情報カード利用システムの共通診察券機能の概念図である。
【図５】本発明の実施例１の医療用情報カード利用システムのカルテ情報へのアクセス方法の概念図である。
【図６】本発明の実施例１の医療用情報カード利用システムの医療費支払い方法の概念図である。
【発明を実施するための形態】
【００２０】
以下、本発明の医療用情報カード及び医療用情報カード利用システムについて、添付図面を参照して実施例を用いて本発明の好適な実施の形態を具体的に説明するが、本発明はこれらに限定されるものではない。
【実施例１】
【００２１】
｛医療用情報カード及び医療用情報カード利用システムの構成｝
図１は、本発明の実施例１の医療用情報カードの表面側を示す図である。また、図２は、本発明の実施例１の医療用情報カードの裏面側を示す図である。本発明の実施例１の医療用情報カード１はクレジットカードと同じ大きさのプラスチックカードで、表面側は磁気読み取り方向を示す他は自由にデザインでき、裏面側には、カードに書き込まれた磁気情報を、カルテアクセス用磁気読取端末と決済用磁気読取端末で読み取り可能とするための磁気ストライプ２を有し、カードごとに異なる固有の識別記号である共通番号表示３が印刷されており、ＲＦＩＤチップを含むシールである存在確認チップシール４が貼付されており、使用方法の案内ページへ誘導する二次元コード５が印刷されて表示されている。本実施例では、磁気ストライプやシール等のエレメントを裏面側に集中させたが、表面側にあってもよく、また表面側と裏面側に分けてもよい。
【００２２】
図３は、本発明の実施例１の医療用情報カード利用システムの概要図である。図３以降において、本発明の実施例１の医療用情報カードを「ＣＡＤＡ」と表示している。また、図３以降において、医療情報データベース及び医療費決済情報データベース並びに医療費専用決済システムの管理会社を「ＭＤＶ」と表示している。図４は、本発明の実施例１の医療用情報カード利用システムの共通診察券機能の概念図である。また、図５は、本発明の実施例１の医療用情報カード利用システムのカルテ情報へのアクセス方法の概念図である。
【００２３】
本発明の実施例１の医療用情報カード１に磁気的に書き込むことによって医療用情報カード１に搭載される磁気情報は、医療情報データベースに格納されている識別記号のうちカードごとに異なる固有の識別記号の情報である。同じ識別番号は、医療費決済情報データベースにも格納されている。識別記号は、本実施例では１６ケタの番号であるが、桁数はこれに限らず、また複数種類の記号（番号、アルファベット、ひらがな等）を組み合わせて構成される記号等、他の記号でもよい。カード内に多数の情報を入れる必要がないため、安全性が確保でき、かつコストも削減できる。
【００２４】
医療情報データベースは、カルテアクセス用磁気読取端末とネットワークを介して接続されている。また、医療情報データベースは、複数の識別記号と識別記号毎に関連付けられた１又は複数のカルテ情報とを有する。本件において、ネットワークは、インターネットやＬＡＮの他、各種無線・有線ネットワークや、電話回線等でもよい。
【００２５】
カルテアクセス用磁気読取端末は入出力手段を備えており、クリニックや病院等の医療機関に備えつけられている。より詳細には、カルテアクセス用磁気読取端末は、医療情報データベースにネットワークを介して接続する手段と医療用情報カードの磁気情報を読み取る手段と医療情報データベースが有する固有の識別記号に関連付けられたカルテ情報の出力手段とカルテ情報への入力手段とを有する。カルテアクセス用磁気読取端末で医療用情報カード１の磁気情報を読み取ることにより、医療情報データベースにおいてカードごとに異なる固有の識別記号に関連付けられて格納されているカルテ情報の出力及びそのカルテ情報への入力を可能とする。
【００２６】
カルテ情報には、医療機関における診療データを含む。本実施例では、カルテ情報には、複数の医療機関における診療データを含む。カルテ情報には、テキストの他、静止画像や動画や音声等が含まれていてもよく、健康診断等各種検査の結果や診療カルテ等の受診履歴、投薬履歴、病歴、患者の身体的あるいは精神的情報を含んでもよい。医療機関には病院や診療所のみならず調剤薬局も含む。
【００２７】
医療機関において、カルテアクセス用磁気読取端末を備え付けており、医療従事者は患者から医療用情報カード１を預かってカルテアクセス用磁気読取端末に磁気ストライプを通して磁気情報を読み取る。カルテアクセス用磁気読取端末を接続したパーソナルコンピュータ（ＰＣ）端末等で、インターネット等のネットワークを通じて、医療情報データベースにアクセスして識別記号に関連付けられているカルテ情報を表示できる。医療情報データベース内のカルテ情報へアクセスして表示するには、本実施例では、医療従事者毎又は医療機関ごとのパスワードの入力を必要とする。医療情報データベースを含むサーバには、カルテアクセス用磁気読取端末に接続された入出力装置にパスワード受付ページを表示させ、パスワードの入力を受け付け、正規のパスワードかを判定し、パスワードが登録されているパスワードと一致する場合のみ医療情報データベースへのアクセスを許可するプログラムを有する。医療従事者は、患者の了解が得られた場合にカルテアクセス用磁気読取端末で磁気情報を読み取りパスワードを入力してカルテ情報へアクセスする。本実施例では、自社の医療機関での診療データのみならず、本発明の医療用情報カード利用システムを導入している他の医療機関における診療データ等のカルテ情報も確認できる機能を有し、そのため、より適切な治療や投薬に役立てることができる。また、医療機関は診察や検査を行うたびに、表示したカルテ情報に追加情報を記入することができ、これにより、カルテ情報は常に最新の状態に更新される。
【００２８】
医療従者のみならず、患者自身も、医療機関に備え付けられたカルテアクセス用磁気読取端末で自己のカルテ情報を確認できる。ただし、医療用情報カードを拾った人が個人情報を容易に取得しないように、カルテアクセス用磁気読取端末は誰でも使える状態ではなく管理されている。本実施例では、患者自身は個別のパスワードを発行されており、医療情報データベースを含むサーバには、インターネットを通じて所定のアドレスにアクセスしたＰＣ等にＷｅｂページを表示させ、パスワードの入力を当該ページ上で受け付け、正規のパスワードかを判定し、パスワードが登録されているパスワードと一致する場合のみ医療情報データベースへのアクセスを許可するプログラムを有する。かかるＷｅｂページからのアクセスの場合カードの磁気情報の読み取りは不要である。患者は、インターネットを通じて所定のページにてパスワードと自己が保有するカードの識別記号を入力することによって自己のカルテ情報にアクセスして表示することができる。これにより患者が自分で情報を確認できる環境を整えつつセキュリティも確保している。
【００２９】
存在確認チップシール４のＲＦＩＤチップは、カードに記載された識別記号に関連付けられたカルテ情報が医療情報データベースにあるか否かを識別可能なチップであり、ＲＦＩＤリーダで読み取りが可能である。救急搬送の際に、救急隊員がシールに搭載されたＲＦＩＤ情報の読み取り装置を持っていれば、患者のカルテ情報が医療情報データベースにあるかどうかを知ることができる。医療情報データベースに情報があれば、患者が身元不明人であっても、医療用情報カードを導入している搬送先において適切な処置が受けられるし、医療機関側は料金不払いのリスクを削減できる。したがって行き倒れ人等の削減もつながる。一方、カードを落としても、ＲＦＩＤリーダを持っている他人が知ることができるのは、医療情報データベースに情報があるかないかだけで、情報そのものにはアクセスできないため、個人情報保護の観点からも適する。シールには最初に発行した病院名を表示してもよい。
【００３０】
本実施例においては、カードごとに異なる固有の識別記号である共通番号表示３が印刷されている。救急搬送の際に、救急隊員が金属探知機等で医療用情報カード１を発見できれば、搬送先にカートに表示されている識別記号を伝えることができ、識別番号を聞いた搬送先は、患者の病歴や投薬状況等を知ったうえで患者を受け入れる準備ができるため、的確な処置を瞬時に行うことができ、結果として助かる人命が増える。
【００３１】
本実施例においては、二次元コード５は、携帯電話向けマトリックス型二次元コードであり、携帯電話等の二次元コード読み取り機能で読み取らせることにより、使用方法の案内ページへ誘導してかかるページを携帯電話等に表示させることができる。したがって、初めて利用する者でもマニュアルがいらず便利である。
【００３２】
図６は、本発明の実施例１の医療用情報カード利用システムの医療費支払い方法の概念図である。医療費決済情報データベースは、決済用磁気読取端末とネットワークを介して接続されている。また、医療費決済情報データベースは、上述した固有の識別記号と識別記号毎に関連付けられた決済口座の情報とを有する。また、医療費決済情報データベースは、医療費専用決済システムと接続されている。
【００３３】
医療費専用決済システムは、医療費決済情報データベースにネットワークを介して接続され、決済用磁気読取端末から決済する支払金額の入力を受付する手段と、支払金額を決済用磁気読取端末に表示する手段と、決済用磁気読取端末から決済実行を受付する手段と、決済が完了したことを示す証票を出力する手段を有する。
【００３４】
決済用磁気読取端末は、入出力手段を備えており、クリニックや病院等の医療機関に備えつけられている。より詳細には、決済用磁気読取端末は、医療費決済情報データベースにネットワークを介して接続する手段と医療用情報カードの磁気情報を読み取る手段と医療費決済情報データベースが有する固有の識別記号に関連付けられた決済口座に対する支払金額の入力手段と支払額の出力手段とを有する。決済用磁気読取端末で医療用情報カード１の磁気情報を読み取ることにより、医療費決済情報データベースにおいてカードごとに異なる固有の識別記号に関連付けられて格納されている決済口座の情報にアクセスし、カードに固有の識別記号に関連付けられた決済口座での支払金額の入力を受け付け、医療系決済情報データベースに立て替え決済金額として登録可能とする。カルテアクセス用磁気読取端末と決済用磁気読取端末とは別々の端末でもよいし１台で両方の端末の機能を兼ね備えた端末でもよい。
【００３５】
本実施例の医療用情報カードを利用した医療用情報カード利用システムを使うには、まずは医療用情報カードの発行を必要とする。
【００３６】
患者は本実施例の医療用情報カード利用システムを導入している医療機関に初めて診察に来た際に、新規の医療用情報カードを発行してもらい、カルテアクセス用磁気読取端末で、氏名、住所、年齢を入れて最初のカルテ情報を作成する。その際には必ずしも決済口座の情報を入力しなくても、決済用磁気読取端末で磁気情報を読み取った際に第１回目に限り、決済機関は医療機関に対し支払いを行うこととしてもよい。
【００３７】
記録された住所及び氏名宛に、郵便等で決済口座の情報に関しての問い合わせがされ、決済口座の登録を受け付け、与信審査を行う。通常のクレジットカードと異なり、医療費専用のため、審査を厳しくする必要はない。医療用情報カードは一人一枚であり、子供は親の決済口座で登録が可能となるし、高齢者は子供の決済口座や年金受取口座や死亡保険金受取口座等での登録も可能である。
【００３８】
２回目の診察からは、それが前回と同じ医療機関であっても、本実施例の医療用情報カード利用システムを導入している他の医療機関であっても、医療用情報カードさえ持参すれば、他の診察券も診療記録も、現金やクレジットカードも一切持っていく必要がなく、安心して治療や検査を受けることができる。
【００３９】
｛効果｝
本実施例によれば、複数医療機関で共通して使用可能であって、医療費の支払が可能で、セキュリティを兼ね備えつつカルテ情報へアクセスすることも可能とする。本実施例においては、カード内に多数の情報を入れる必要がないため、安全性が確保でき、かつコストも削減できる。本実施例によれば、医療機関側もたとえ初めての患者であっても過去の履歴を見て適切な処置を迅速に行うことができる。また、患者が現金等を持っていなくても決済口座から自動的に医療費が支払われるため、医療機関側も不払いの問題を解決でき、料金踏み倒しのリスクも削減できる。本実施例によれば、患者側も手元に現金やクレジットカードを持っていなくても安心して病院に行けるし、新しい医療機関であってもこれまでの経過を説明する必要がないので、患者に合った治療を受けられる可能性が高まる。また、本実施例の医療用情報カードが普及すれば、結果として助かる人命が増える。
【００４０】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【符号の説明】
【００４１】
１  医療用情報カード
２  磁気ストライプ
３  共通番号表示
４  存在確認チップシール
５  二次元コード
【図１】
2015032074.tif 000003
【図２】
2015032074.tif 000004
【図３】
2015032074.tif 000005
【図４】
2015032074.tif 000006
【図５】
2015032074.tif 000007
【図６】
2015032074.tif 000008